(57)【要約】【課題】使用されることのない交替領域を有効に活用することを課題とする。【解決手段】交替領域の物理アドレスをユーザーデータ記録領域の論理アドレスの最終アドレスに続くように割り当てるテーブルを作成し、テーブルに従って記録再生を行うことで解決する。これにより、未使用の交替領域の物理アドレスをユーザーデータ記録の論理アドレスの最終アドレスに続くように割り当てることで、未使用の交替領域をユーザーデータ記録領域として使用可能とし、有効に未使用交替領域を活用することを可能とする。【選択図】図１
2009093691.tif 000002
【特許請求の範囲】
【請求項１】
交替領域とユーザーデータ記録領域を持つ媒体にデータの記録再生を行う記録再生装置であって、交替領域変更メッセージ処理手段、交替領域管理テーブル、ユーザーデータ論理アドレス管理テーブル、交替領域管理テーブル再構築手段、ユーザーデータ論理アドレス管理テーブル再構築手段を具備し、
前記ユーザーデータ論理アドレス管理テーブル再構築手段は、
前記交替領域変更メッセージ処理手段から、
交替領域をユーザーデータ記録領域へ変更するメッセージが来た際に、
変更される交替領域の物理アドレスを、ユーザーデータ記録領域の論理アドレスの最終アドレスに続くように割り当てることを特徴とする記録再生装置。
【請求項２】
請求項１に記載の記録再生装置であって、
前記ユーザーデータ論理アドレス管理テーブル再構築手段は、
ユーザーデータ論理アドレス管理テーブルを前記記録媒体に記録すること
を特徴とする記録再生装置。
【請求項３】
請求項１に記載の記録再生装置であって、
前記媒体がＮ層(Ｎは正の整数)から構成され夫々の層に交替領域を持つ媒体である場合、前記ユーザーデータ論理アドレス管理テーブル再構築手段は、
Ｎ層目にある全ての交替領域の物理アドレスを、ユーザーデータ記録領域の論理アドレスの最終アドレスに続くように割り当ててから、Ｍ層目(ＭはＮと異なる正の整数)にある全ての交替領域の物理アドレスを、先に追加したユーザーデータ記録領域の論理アドレスに続くように割り当てることを特徴とする記録再生装置。
【請求項４】
請求項１に記載の記録再生装置であって、
前記媒体が内外周に交替領域を持つ媒体である場合、
前記ユーザーデータ論理アドレス管理テーブル再構築手段は、
内周側の交替領域の物理アドレスを、ユーザーデータ記録領域の論理アドレスの最終アドレスに続くように割り当ててから、外周側の交替領域の物理アドレスを、先に追加したユーザーデータ記録領域の論理アドレスに続くように割り当てることを特徴とする記録再生装置。
【請求項５】
請求項１に記載の記録再生装置であって、
前記媒体が内外周に交替領域を持つ媒体である場合、
前記ユーザーデータ論理アドレス管理テーブル再構築手段は、
外周側の交替領域の物理アドレスを、ユーザーデータ記録領域の論理アドレスの最終アドレスに続くように割り当ててから、内周側の交替領域の物理アドレスを、先に追加したユーザーデータ記録領域の論理アドレスに続くように割り当てることを特徴とする記録再生装置。
【請求項６】
請求項１に記載の記録再生装置であって、
前記媒体が物理アドレス的に離れた複数の交替領域を持つ媒体である場合、
前記ユーザーデータ論理アドレス管理テーブル再構築手段は、
夫々の交替領域に番号を割り当てが可能な場合、
任意の番号の交替領域の物理アドレスを、ユーザーデータ記録領域の論理アドレスの最終アドレスに続くように割り当てることを特徴とする記録再生装置。
【請求項７】
請求項１に記載の記録再生装置であって、
前記ユーザーデータ論理アドレス管理テーブル再構築手段は、
交替領域内の任意の物理アドレス範囲で指定された交替領域を、
ユーザーデータ記録領域の論理アドレスの最終アドレスに続くように割り当てることを特徴とする記録再生装置。
【請求項８】
請求項１に記載の記録再生装置であって、
前記ユーザーデータ論理アドレス管理テーブル再構築手段は、
指定された容量分の交替領域内の物理アドレスを、ユーザーデータ記録領域の論理アドレスの最終アドレスに続くように割り当てることを特徴とする記録再生装置。
【請求項９】
請求項１に記載の記録再生装置であって、
前記ユーザーデータ論理アドレス管理テーブル再構築手段は、
交替領域全体容量や交替領域残容量に対する割合で指定された容量分の交替領域内の物理アドレスを、ユーザーデータ記録領域の論理アドレスの最終アドレスに続くように割り当てることを特徴とする記録再生装置。
【請求項１０】
請求項１に記載の記録再生装置であって、
前記交替領域管理テーブル再構築手段は、
前記装置に対して交替領域をユーザーデータ記録領域へ変更する指示が来た際に、
ユーザーデータ記録領域に変換された交替領域のアドレス、容量情報、交替領域の存在の有無、を削除し、残された交替領域で交替領域管理情報を更新することを特徴とする記録再生装置。
【請求項１１】
交替領域とユーザーデータ記録領域を持つ媒体にデータの記録再生を行う記録再生方法であって、交替領域をユーザーデータ記録領域へ変更するメッセージが来た際に、
変更される交替領域の物理アドレスを、ユーザーデータ記録領域の論理アドレスの最終アドレスに続くように割り当てることを特徴とする記録再生方法。
【請求項１２】
請求項１１に記載の記録再生方法であって、
ユーザーデータ論理アドレス管理テーブルを前記記録媒体に記録すること
を特徴とする記録再生方法。
【請求項１３】
請求項１１に記載の記録再生方法であって、
前記媒体がＮ層(Ｎは正の整数)から構成され夫々の層に交替領域を持つ媒体である場合、Ｎ層目にある全ての交替領域の物理アドレスを、ユーザーデータ記録領域の論理アドレスの最終アドレスに続くように割り当ててから、Ｍ層目(ＭはＮと異なる正の整数)にある全ての交替領域の物理アドレスを、先に追加したユーザーデータ記録領域の論理アドレスに続くように割り当てることを特徴とする記録再生方法。
【請求項１４】
請求項１１に記載の記録再生方法であって、
前記媒体が内外周に交替領域を持つ媒体である場合、
内周側の交替領域の物理アドレスを、ユーザーデータ記録領域の論理アドレスの最終アドレスに続くように割り当ててから、外周側の交替領域の物理アドレスを、先に追加したユーザーデータ記録領域の論理アドレスに続くように割り当てることを特徴とする記録再生方法。
【請求項１５】
請求項１１に記載の記録再生方法であって、
前記媒体が内外周に交替領域を持つ媒体である場合、
外周側の交替領域の物理アドレスを、ユーザーデータ記録領域の論理アドレスの最終アドレスに続くように割り当ててから、内周側の交替領域の物理アドレスを、先に追加したユーザーデータ記録領域の論理アドレスに続くように割り当てることを特徴とする記録再生方法。
【請求項１６】
請求項１１に記載の記録再生方法であって、
前記媒体が物理アドレス的に離れた複数の交替領域を持つ媒体である場合、
夫々の交替領域に番号を割り当てが可能な場合、
任意の番号の交替領域の物理アドレスを、ユーザーデータ記録領域の論理アドレスの最終アドレスに続くように割り当てることを特徴とする記録再生方法。
【請求項１７】
請求項１１に記載の記録再生方法であって、
交替領域内の任意の物理アドレスで指定された物理アドレスを、ユーザーデータ記録領域の論理アドレスの最終アドレスに続くように割り当てることを特徴とする記録再生方法。
【請求項１８】
請求項１１に記載の記録再生方法であって、
指定された容量分の交替領域内の物理アドレスを、ユーザーデータ記録領域の論理アドレスの最終アドレスに続くように割り当てることを特徴とする記録再生方法。
【請求項１９】
請求項１１に記載の記録再生方法であって、
交替領域全体容量や交替領域残容量に対する割合で指定された容量分の交替領域内の物理アドレスを、ユーザーデータ記録領域の論理アドレスの最終アドレスに続くように割り当てることを特徴とする記録再生方法。
【請求項２０】
請求項１１に記載の記録再生方法であって、
交替領域をユーザーデータ記録領域へ変更する指示が来た際に、
ユーザーデータ記録領域に変換された交替領域のアドレス、容量情報、交替領域の存在の有無、を削除し、残された交替領域で交替領域管理情報を更新することを特徴とする記録再生方法。
【発明の詳細な説明】
【技術分野】
【０００１】
本発明は媒体記録再生装置及び媒体記録再生方法に係り、特に媒体の交替領域を用いて記録再生を行う媒体における使用されない交替領域を、有効に活用する手法に関するものである。
【背景技術】
【０００２】
現在、CD-R/RW  (CD Recordable / Rewritable)、DVD±R/RW  (DVD±Recordable / Rerecordable Disc)、DVD-RAM (DVD-Re-writable)、Ｂｌｕ-ｒａｙ Ｄｉｓｃ、ＨＤ-ＤＶＤ(High-Definition Digital Versatile Disc)等に代表される光学式のディスク状記録媒体（以下、光ディスク）に対して、半導体レーザーを用いてレーザー光を照射し、データ記録を行う記録再生装置がある。
【０００３】
書き換え型もしくは追記型の光ディスク媒体は、メディアの部分破損による傷や、指紋、汚れ、記録膜の劣化等によりメディア上の欠陥（ディフェクト）部分が発生し、その欠陥部分に記録を行っても、データを読み出すことが出来なくなる可能性が高くなる。このようなディスク面の欠陥を回避してディスク寿命を延ばす１つの方法として、その欠陥部分にはデータの記録は行わずに、同じ光ディスク上に設けた交替領域（代替記録領域）に記録を行う、リニアリプレースメント(Linear Replacement)と呼ばれる欠陥管理方法がある。関連技術として、特許文献１がある。
【０００４】
【特許文献１】特開２０００−１０００７９公報
【発明の開示】
【発明が解決しようとする課題】
【０００５】
通常、交替領域はユーザーデータ記録領域の一部を割り当てることで作成するため、交替領域を拡張した領域(容量)分、ユーザーが実質データを記録できる領域(容量)は少なくなる。従って記録中に殆ど記録エラーが発生しなかった場合は、最初に確保した交替領域は全く使用されないことになる。しかも交替領域は一度領域を確保すると領域を変更できない。Ｂｌｕ-ｒａｙ Ｄｉｓｃを例に挙げて説明する。追記型のＢＤ−Ｒ(Blu-ray Disc-Recordable)は交替領域をフォーマット時に確保すると、交替領域、ユーザーデータ記録領域の割り当て配分を変更出来ない。また書き換え型のＢＤ−ＲＥ(Blu-ray Disc- Rewritable)においても交替領域を一度確保すると、再フォーマットを行わない限り、交替領域、ユーザーデータ記録領域の割り当て配分を変更出来ない。
【０００６】
ここでデータを記録する際にディスクの残容量が少なくなった場合を考える。
最初に確保した交替領域を殆ど使用せずに、ディスク残容量がＸ[ｋＢ](kilo Byte)となったとする。ここで容量がＸ＋１００[ｋＢ]のデータを記録したい場合、記録したいデータ容量がディスク残容量を超えている為に記録は行えない。元々ユーザーデータ領域として割り当て可能であった交替領域を殆ど使用しないと事前にわかっていれば、交替領域を少な目に確保しておくことも可能であるが、ディスクの信頼性向上という観点から悪戯に交替領域は減らせない。
【０００７】
従って、交替領域はフォーマット時にディスクの信頼性の損なわない程度に事前に確保、確定するしかなく、結果としてユーザーデータ記録領域として使用可能であった交替領域を無駄に残さざるを得ないという問題があった。
【０００８】
従って、本発明ではこの問題点を課題とし、交替領域を無駄にせず有効活用することを目的とする。
【課題を解決するための手段】
【０００９】
上記、目的は特許請求の範囲に記載の発明により達成される。
【発明の効果】
【００１０】
本発明により、従来方法と比較して無駄な交替領域を無くすことが可能となる。
【発明を実施するための最良の形態】
【００１１】
以下、本発明の実施例を、図面を用いて説明する。
【実施例１】
【００１２】
以下、本発明の実施例を図面を用いて説明する。
図1は本発明の実施例に関る記録再生装置の構成を示すブロック図である。
【００１３】
同図において１０１は交替領域をディスク上に持つデータを記録再生可能な光ディスク、１０２は光ディスク１０１から記録信号を読み取るピックアップ、１０３はデータ記録再生手段であり、図中には示していないがデータ記録再生手段１０３はピックアップ１０２の制御を行うサーボ制御手段や、データの変復調を行う手段、誤り訂正を行う手段、データを一時記憶しておく一時記憶手段や、その一時記憶手段を制御する一時記憶手段制御手段、ＡＴＡＰＩ(AT Attachment Packet Interface)に代表されるプロトコルに従ってホスト１０４とのやり取りを行うホストＩ／Ｆ手段など、ピックアップから読み出されたデータを、外部装置のホスト１０４へ出力、またはホスト１０４からのデータをディスク上に記録するために必要な手段をすべて備えている。１０５はそのデータ記録再生手段を制御するマイコンである。１０６はホスト１０４から出された交替領域を変更するメッセージを受信する交替領域変更メッセージ処理手段、１０７はディスク上の交替領域を管理するテーブル、１０８はディスク上のユーザーデータ記録領域の論理アドレスを管理するテーブル、１０９は交替領域管理テーブル１０７のテーブル情報を交替領域変更メッセージに従って交代領域の情報を再構築する交替領域管理テーブル再構築手段、１１０は交替領域管理テーブル１０７のテーブル情報を交替領域変更メッセージに従ってユーザーデータ記録領域の論理アドレス空間を再構築するユーザーデータ論理アドレス管理テーブル再構築手段である。
【００１４】
図２は、ＢＤ−Ｒのディスク全体の構造を示した図である。大きく分けてＬｅａｄ-ｉｎ領域、Ｄａｔａ Ｚｏｎｅ領域、Ｌｅａｄ-ｏｕｔ領域の３つで構成されており、さらにＤａｔａ Ｚｏｎｅ領域は、内周の交替領域であるＩＳＡ０(Inner Spare Area 0)領域、ＵｓｅｒＤａｔａＡｒｅａ領域、外周の交替領域であるＯＳＡ０(Outer Spare Area 0)領域で構成される。記録状態の管理情報を記録するＴＤＭＡ(Temporary Disc Management Area)は、Ｌｅａｄ-ｉｎ領域、ＩＳＡ０領域、ＯＳＡ０領域内に存在し、それぞれＴＤＭＡ０、ＴＤＭＡ１、ＴＤＭＡ２となる。この例では、説明簡略化のためＩＳＡ０，ＯＳＡ０に含まれるＴＤＭＡ１、ＴＤＭＡ２は省略する。ＴＤＭＡ０領域は複数のＴＤＭＳ(Temporary Disc Management Structure)から構成され、ＴＤＭＳは１回の更新(記録)単位となる。更にＴＤＭＳは、ＴＤＦＬ(Temporary Defect List)２０１、ＳＲＲＩ(Sequential Recording Range Information)２０２、ＴＤＤＳ(Temporary Disc Definition Structure)２０３で構成される。ＴＤＦＬ２０１は、主にディスク上の欠陥箇所に対する交替箇所を管理するリストとして使用されている。２０４はディスク上の欠陥箇所のＤｅｆｅｃｔｉｖｅ Ｃｌｕｓｔｅｒ Ｆｉｒｓｔ ＰＳＮであり、その交替箇所として２０５のＲｅｐｌａｃｅｍｅｎｔ Ｃｌｕｓｔｅｒ Ｆｉｒｓｔ ＰＳＮが割り付けられていることを示している。この２０４と２０５の組を１つのリストとし、ＴＤＦＬの領域分だけ記録可能である。ＳＲＲＩ２０２は、主にＳＲＲ(Sequential Recording Range)と呼ばれる、ＣＤのＴｒａｃｋに相当する記録領域についての管理情報が含まれている。また、ＴＤＤＳ２０３は、ＴＤＦＬの配置情報や、ＩＳＡ０、ＯＳＡ０の容量といったディスクの管理情報が含まれている。
【００１５】
次にＢＤ-Ｒの欠陥処理方法について図３を用いて説明する。
３０１はＩＳＡ０，ＯＳＡ０有りの交替領域が確保された状態でフォーマットされたディスク構成図である。図２で説明した通り、リードイン領域３０２、データ領域３０３、リードアウト領域３０４から構成されており、データ領域のディスク内周側にはＩＳＡ０、ディスク外周側にはＯＳＡ０が確保されている。この領域はデータ記録中に見つかった欠陥の交替領域等に使用される。従って、実際にユーザーデータを記録可能な領域３０７はデータ領域３０３から３０５、３０６を差し引いた領域となる。なお、本発明で言うユーザーデータとは、ＵＤＦ(Universal Dick Format)等のデータではなく、ＰＣ(Personal Computer)内の音楽データや、カメラで撮影した映像データといったユーザーが意識的に記録するデータを意味する。
【００１６】
次に記録中に欠陥が見つかった場合の交替方法を３０８を用いて説明する。
ＢＤ-Ｒの交替領域３０５、３０６はディスクフォーマット時に事前にホスト側からの指示（正確にはアプリケーションの指示）で確保される。図の白矢印で示したアドレスまで記録が行われ記録中に欠陥セクタ３１１が見つかった場合、ＩＳＡ０の交替領域へ交替が行われた例であり、図中の黒矢印が欠陥領域と交替先領域の対応のイメージである。
また、この欠陥領域及び交替領域の位置情報が記録されるＴＤＭＡ（Temporary Defect Management Area）はリードイン領域に確保されている。(図２の２０１参照)
ディスクの欠陥領域はメディアの部分破損による傷や、指紋、汚れ、記録膜の劣化等による欠陥だけではなく、元々のディスク品質の悪さが原因で欠陥領域となる場合もある。フォーマット時に交替領域を多めに確保すれば、欠陥が多く発生しても交替領域に記録可能であるためディスク信頼性が高まりユーザーメリットになるが、交替領域を多く確保するとその分ユーザーデータ記録領域が減少しユーザーデメリットとなり、トレードオフの関係にある。実際のデータ記録において交替領域が使用されるかどうかはディスク品質、ドライブ性能、データ記録環境によっても左右されるため、現状では全ての媒体に対して一律に同じ交替領域容量を確保することが一般的である。
【００１７】
そこで本発明では、記録中にディスク残量が残り少なくなってきた時、未使用の交替領域をユーザーデータ記録領域へ変更することを考える。以下、図１、図３、図４を用いて説明する。図３において３０８の状態から図３１２の状態まで記録が進み、白矢印３１３のアドレスまで記録が進んだとする。３１２の状態における未使用の交替領域は、３１４と３１５である。ここでホスト１０４から交替領域変更メッセージ処理手段１０６へメッセージが発信されると交替領域管理テーブル再構築手段１０９とユーザーデータ論理アドレス管理テーブル再構築手段１１０にて各管理テーブルの再構築が行われる。
【００１８】
本実施例では一例としてホストから未使用の交替領域全てをユーザーデータ記録領域へ変更するようなメッセージが発信された場合を想定し、以下再構築処理の具体例を説明する。
【００１９】
再構築前のユーザーデータ記録領域の論理アドレス空間は矢印３１６のように連続的に確保されている。メッセージ受信後は、ＩＳＡ０の未使用領域３１４を論理アドレス３１６の末尾から続く論理アドレス３１７として割り当てる。またＯＳＡ０の未使用領域３１５を論理アドレス３１７の末尾へと続く論理アドレス３１８として割り当てる。
【００２０】
３１９は再構築後のディスク全体の論理アドレス空間のイメージである。当該ディスクの論理アドレス空間は３２０のようになり、再構築前のディスク残量が３２１しかなかったものが３２２まで拡大し、未使用の交替領域をユーザーデータ記録領域として有効活用出来る。また再構築されたユーザーデータ論理アドレス管理テーブルを例えばＴＤＭＡ０領域に図４の４０１のように新たに記録する。ユーザーデータ論理アドレス管理テーブルはユーザーデータ記録領域に変換された元交替領域の物理アドレス４０２と割り当てられた論理アドレス４０３をペアで構成されており、元交替領域の物理アドレスと割り当てられた論理アドレスが対になるよう登録する。
【００２１】
また当然、ユーザーデータ記録領域に変更された元交替領域に関する物理アドレス情報や容量に関する情報、その他変更されるべき情報全ては、変更後のものに書き換えて媒体上に記録される。
【００２２】
ユーザーデータ論理アドレス管理テーブルについて更に詳細な説明を加える。ＩＳＡ０の未使用領域の先頭物理アドレスを(Ａ)、終了物理アドレスを(Ｂ)、ＯＳＡ０の未使用領域の先頭物理アドレスを(Ｃ)、終了物理アドレスを(Ｄ)、再構築前のユーザーデータ記録領域の先頭論理アドレスを０、終了論理アドレスを(Ｘ)とする。物理アドレスＡには論理アドレスＸ＋１、のようにユーザーデータ論理アドレス管理テーブルには元交替領域の物理アドレスと新たに割り当てられた論理アドレスが１対１の対で登録される。この際、元交替領域の物理アドレスの先頭か終了かを区別するためフラグを設け、１の場合は先頭物理アドレスを示し、２の場合は終了物理アドレスを示すといった具合に同領域内にフラグを記録する。
【００２３】
以上の処理により、従来変更出来なかった交替領域からユーザーデータ記録領域への変更を可能となった。通常ホストからの記録指定は論理アドレス指定であり、例えば論理アドレスＸ＋１への記録が指定された場合は、物理アドレスＡから記録されることになる。
【００２４】
また、ユーザーデータ論理アドレス管理テーブルをディスク上に記録することで、異なる記録再生装置において記録再生を行う場合においても、このテーブル情報を読み込み論理アドレスの再構築を行うことで記録再生を可能とした。
【００２５】
最後に、本実施例で説明した記録再生装置内で行う論理アドレスの割り当て方法、ホストからのメッセージ指示の方法について例を挙げて説明する。
【００２６】
最初に記録再生装置内で行う論理アドレスの割り当て方法について例を挙げる。記録媒体の内外周の夫々に交替領域を持つ媒体の場合、記録再生装置はどちらを先に論理アドレスの最終アドレスに続くように割り当ても良い。前述した実施例では内周の交替領域から論理アドレスの割り当てを行ったが、外周から割り当てを行い内周側を行っても良い。実施例のように単層の媒体ではなく多層の記録媒体においても内周側にある交替領域を全て割り当ててから、外周側にある交替領域を全て割り当てるなどが考えられる。
【００２７】
また多層の記録媒体においては、同一層にある交替領域を全て割り当ててから、異なる層の交替領域を割り当てるという割り当て方法もある。その割り当て方法も手前から奥の層や、奥の層から手前の層へ、など順番に割り当てる方法もあるがランダムな順序で層単位で割り当てても良い。
【００２８】
また、記録媒体が持つ全ての交替領域に夫々番号を割り当てることが可能な場合、ホストから指定された交替領域番号の交替領域を順番に割り当てても良い。
【００２９】
次に、ホストからのメッセージ指示の方法については以下の方法について例を挙げる。
前述した記録媒体が持つ全ての交替領域に夫々番号を割り当て、ホストがその番号を指定する方法や、ホストが交替領域の物理アドレスの範囲を指定する方法、またホストが割り当てたい容量で指定する方法や、交替領域全体容量や交替領域残容量に対する割合で指定する方法が考えられる。当然、本実施例内で挙げた方法を組み合わせても新たな方法を生み出す事が可能であり、この他にも割り当てを行う方法は考えられるが、如何なる方法においても交替領域の物理アドレスとユーザーデータ記録領域の論理アドレスを対応させるテーブルを作成することが可能な方法であれば、本実施例と同一の効果が得られる。
【００３０】
なお、本説明では追記型の媒体を例に説明したが、追記型と書き換え型の媒体の違いは、ユーザーデータ論理アドレス管理テーブルを追記するか、上書きするかの違いだけであるので書き換え型においても同様の効果が得られる。また、単層、多層に限らず同一の効果が得られることは言うまでもない。また、今回の実施例で説明した光ディスクに限らず、交替領域という概念を持つ記録媒体であれば、本発明が適応可能であり、同一の効果が得られることは言うまでもない。
【００３１】
以上、本発明は未使用の交替領域の物理アドレスをユーザーデータ記録の論理アドレスの最終アドレスに続くように割り当てることで、未使用の交替領域をユーザーデータ記録領域として使用可能とし、有効に未使用交替領域を活用することを可能とした。
【図面の簡単な説明】
【００３２】
【図１】本発明の実施例に関る記録再生装置の構成を示すブロック図。
【図２】ＢＤ−Ｒのディスク全体の構造を示した図。
【図３】交替の説明と論理アドレス再構築の説明図。
【図４】ユーザーデータ論理アドレス管理テーブルの説明図。
【符号の説明】
【００３３】
１０１…データを記録再生可能な光ディスク、１０２…ピックアップ、
１０３…記録再生装置、１０４…ホスト、１０５…マイコン、
１０６…交替領域変更メッセージ処理手段、１０７…交替領域を管理テーブル、
１０８…ユーザーデータ記録領域論理アドレス管理テーブル、
１０９…交替領域管理テーブル再構築手段、
１１０…ユーザーデータ論理アドレス管理テーブル再構築手段、２０１…ＴＤＦＬ、
２０２…ＳＲＲＩ、２０３…ＴＤＤＳ、
２０４…Ｄｅｆｅｃｔｉｖｅ Ｃｌｕｓｔｅｒ Ｆｉｒｓｔ ＰＳＮ、２０５…Ｒｅｐｌａｃｅｍｅｎｔ Ｃｌｕｓｔｅｒ Ｆｉｒｓｔ ＰＳＮ、
３０１…ＩＳＡ０，ＯＳＡ０有りでフォーマットされたディスク構成図、
３０２…リードイン領域、３０３…データ領域、３０４…リードアウト領域、
３０５…ＩＳＡ０、３０６…ＯＳＡ０、３０７…ユーザーが使用できる領域、
３０８…交替処理方法の説明のためのディスク構成図、３１１…欠陥セクタ、
３１２…再構築方法の説明のためのディスク構成図、３１３…記録済み領域、
３１４…ＩＳＡ０の未使用交替領域、３１５…ＯＳＡ０の未使用交替領域、
３１６…再構築前に割り当てられている論理アドレス空間、
３１７…再構築後に割り当てられるＩＳＡ０領域の論理アドレス範囲、
３１８…再構築後に割り当てられるＯＳＡ０領域の論理アドレス範囲、
３１９…再構築後の論理アドレス空間イメージ図、
３２０…再構築後の論理アドレス空間、
３２１…再構築前にＩＳＡ０領域であった論理アドレス、
３２２…再構築前にＯＳＡ０領域であった論理アドレス、
４０１…ユーザーデータ論理アドレス管理テーブル、
４０２…元交替領域の物理アドレス格納領域、
４０３…再構築後に割り当てられた論理アドレス格納領域。
【図１】
2009093691.tif 000003
【図２】
2009093691.tif 000004
【図３】
2009093691.tif 000005
【図４】
2009093691.tif 000006